(57)【要約】【課題】初期特性ばらつきの補正には統計的に定めたエージング処理の実行が必要である。【解決手段】有効表示領域の外側に、基本発光色別のダミー画素とその発光輝度値を検出する輝度検出センサーとを配置する。更に、初期特性ばらつきの補正実行時、有効表示領域内の各画素とダミー画素の発光条件が同じになるように、基本発光色別の階調値を決定するダミー画素データ決定部と、基本発光色毎に検出された発光輝度値がそれぞれ設定輝度に到達したか否かを判定し、発光輝度値が設定輝度に到達した時点で該当する基本発光色の発光動作を個別に停止するエージング制御部とを表示パネルに搭載する。【選択図】図６
2007240800.tif 000002
【特許請求の範囲】
【請求項１】
有効表示領域の外側に、基本発光色別のダミー画素を配置した表示パネルと、
初期特性ばらつきの補正実行時、有効表示領域内の各画素と前記ダミー画素の発光条件が同じになるように、基本発光色別の階調値を決定するダミー画素データ決定部と、
初期特性ばらつきの補正実行時、前記ダミー画素の発光輝度値を基本発光色別に検出する輝度検出センサーと、
基本発光色毎に検出された発光輝度値がそれぞれ設定輝度に到達したか否かを判定し、発光輝度値が設定輝度に到達した時点で該当する基本発光色の発光動作を個別に停止するエージング制御部と
を有することを特徴とする自発光表示装置。
【請求項２】
有効表示領域の外側に、基本発光色別のダミー画素を配置した表示パネルと、
初期特性ばらつきの補正実行時、有効表示領域内の各画素と前記ダミー画素の発光条件が同じになるように、基本発光色別の階調値を決定するダミー画素データ決定部と、
初期特性ばらつきの補正実行時、前記ダミー画素の発光輝度値を基本発光色別に検出する輝度検出センサーと、
検出された発光輝度値と経過時間とに基づいて、基本発光色別の劣化特性を算出する劣化特性算出部と、
基本発光色毎に算出された劣化特性の一定期間内の変化がそれぞれ安定したか否かを判定し、劣化特性の変化が安定した時点で該当する基本発光色の発光動作を個別に停止するエージング制御部と
を有することを特徴とする自発光表示装置。
【請求項３】
有効表示領域の外側に、基本発光色別のダミー画素とその発光輝度を基本発光色別に検出する輝度検出センサーとを搭載する自発光表示装置において、有効表示領域の初期特性ばらつきを抑制するエージング装置であって、
初期特性ばらつきの補正実行時、有効表示領域内の各画素と前記ダミー画素の発光条件が同じになるように、基本発光色別の階調値を決定するダミー画素データ決定部と、
基本発光色毎に検出された発光輝度値がそれぞれ設定輝度に到達したか否かを判定し、発光輝度値が設定輝度に到達した時点で該当する基本発光色の発光動作を個別に停止するエージング制御部と
を有することを特徴とするエージング装置。
【請求項４】
有効表示領域の外側に、基本発光色別のダミー画素とその発光輝度を基本発光色別に検出する輝度検出センサーとを搭載する自発光表示装置において、有効表示領域の初期特性ばらつきを抑制するエージング装置であって、
初期特性ばらつきの補正実行時、有効表示領域内の各画素と前記ダミー画素の発光条件が同じになるように、基本発光色別の階調値を決定するダミー画素データ決定部と、
検出された発光輝度値と経過時間とに基づいて、基本発光色別の劣化特性を算出する劣化特性算出部と、
基本発光色毎に算出された劣化特性の一定期間内の変化がそれぞれ安定したか否かを判定し、劣化特性の変化が安定した時点で該当する基本発光色の発光動作を個別に停止するエージング制御部と
を有することを特徴とするエージング装置。
【請求項５】
有効表示領域の外側に、基本発光色別のダミー画素とその発光輝度を基本発光色別に検出する輝度検出センサーとを搭載する自発光表示装置のコンピュータに、有効表示領域の初期特性ばらつきを抑制する処理を実行させるコンピュータプログラムであって、
初期特性ばらつきの補正実行時、有効表示領域内の各画素と前記ダミー画素の発光条件が同じになるように、基本発光色別の階調値を決定する処理と、
基本発光色毎に検出された発光輝度値がそれぞれ設定輝度に到達したか否かを判定し、発光輝度値が設定輝度に到達した時点で該当する基本発光色の発光動作を個別に停止する処理と
を実行させるコンピュータプログラム。
【請求項６】
有効表示領域の外側に、基本発光色別のダミー画素とその発光輝度を基本発光色別に検出する輝度検出センサーとを搭載する自発光表示装置のコンピュータに、有効表示領域の初期特性ばらつきを抑制する処理を実行させるコンピュータプログラムであって、
初期特性ばらつきの補正実行時、有効表示領域内の各画素と前記ダミー画素の発光条件が同じになるように、基本発光色別の階調値を決定する処理と、
検出された発光輝度値と経過時間とに基づいて、基本発光色別の劣化特性を算出する処理と、
基本発光色毎に算出された劣化特性の一定期間内の変化がそれぞれ安定したか否かを判定し、劣化特性の変化が安定した時点で該当する基本発光色の発光動作を個別に停止する処理と
を実行させるコンピュータプログラム。
【発明の詳細な説明】
【技術分野】
【０００１】
この明細書で説明する発明は、表示パネルの初期特性ばらつきを抑制するエージング技術に関する。
なお、発明者らが提案する発明は、自発光表示装置、エージング装置及びプログラムとしての側面を有する。
【背景技術】
【０００２】
フラットパネルディスプレイは、コンピュータディスプレイ、携帯端末、テレビなどの製品で広く普及している。現在、主に液晶ディスプレイパネルが多く採用されている。しかし、依然として、視野角の狭さや応答速度の遅さが指摘されている。
一方、自発光素子で形成された有機ＥＬディスプレイは、前述した視野角や応答性の課題を克服できるのに加え、バックライト不要の薄い形態、高輝度、高コントラストを達成できる。このため、液晶ディスプレイに代わる次世代表示装置として期待されている。
【０００３】
ところで、自発光素子は、初期輝度の特性がばらつき易い問題がある。この特性ばらつきを抑制するため、従来は、表示パネルを所定の輝度で一定時間にわたり発光制御する手法が採用されている。すなわち、表示パネルの輝度性能をあるレベルまで劣化させ、輝度特性のばらつきを小さくする手法が採用されている。この手法を、エージング処理という。
【０００４】
一般には、輝度特性のばらつき具合を統計的に計測し、全ての表示パネルに共通する発光時間を決定する。表示パネルの輝度ばらつきの検出には、例えば下記の特許文献に示す技術が使用される。
【特許文献１】特開２００４−３６１６１８号公報
【特許文献２】特開２００３−５０９７２８号公報
【特許文献３】特開２００４−３０３７３１号公報
【特許文献４】特開２００４−０７１５５７号公報
【発明の開示】
【発明が解決しようとする課題】
【０００５】
しかし、この手法は、表示パネルの歩留まりをある程度以上は向上させることが難しい。すなわち、個々の表示パネルに最適なエージング処理を最適化することはできなかった。
【課題を解決するための手段】
【０００６】
そこで、発明者らは、個々の表示パネルに固有の輝度特性ばらつきを個別に最適化できるエージング技術を提案する。なお、有効表示領域の外側には、基本発光色別のダミー画素とその発光輝度を基本発光色別に検出できる輝度検出センサーとを配置する。
【０００７】
（Ａ）仕組み１
仕組みの一つとして、発明者らは以下に示す処理機能部の採用を提案する。
（ａ）初期特性ばらつきの補正実行時、有効表示領域内の各画素とダミー画素の発光条件が同じになるように、基本発光色別の階調値を決定するダミー画素データ決定処理
（ｂ）基本発光色毎に検出された発光輝度値がそれぞれ設定輝度に到達したか否かを判定し、発光輝度値が設定輝度に到達した時点で該当する基本発光色の発光動作を個別に停止するエージング制御処理
【０００８】
（Ｂ）仕組み２
仕組みの一つとして、発明者らは以下に示す処理機能部の採用を提案する。
（ａ）初期特性ばらつきの補正実行時、有効表示領域内の各画素とダミー画素の発光条件が同じになるように、基本発光色別の階調値を決定するダミー画素データ決定処理
（ｂ）検出された発光輝度値と経過時間とに基づいて、基本発光色別の劣化特性を算出する劣化特性算出処理
（ｃ）基本発光色毎に算出された劣化特性の一定期間内の変化がそれぞれ安定したか否かを判定し、劣化特性の変化が安定した時点で該当する基本発光色の発光動作を個別に停止するエージング制御処理
【発明の効果】
【０００９】
発明者らの提案する発明によれば、個々の表示パネルに固有の輝度特性ばらつきを簡単に抑制することができる。
【発明を実施するための最良の形態】
【００１０】
以下、発明に係るエージング機能を搭載する有機ＥＬディスプレイ装置の形態例を説明する。
なお、本明細書で特に図示又は記載されない部分には、当該技術分野の周知又は公知技術を適用する。
また以下に説明する形態例は、発明の一つの形態例であって、これらに限定されるものではない。
【００１１】
（Ａ）形態例１
（ａ）システム構成
図１に、有機ＥＬディスプレイ装置のシステム構成例を示す。有機ＥＬディスプレイ装置１は、有機ＥＬパネルモジュール３及び初期特性ばらつき補正部５で構成される。初期特性ばらつき補正部５は、発明に係る「エージング装置」に対応する。
【００１２】
（ｂ）有機ＥＬパネルモジュールの構成
図２に、有機ＥＬパネルモジュール３の平面構造例を示す。有機ＥＬパネルモジュール３は、有効表示領域３１と、ダミー画素３３と、輝度検出センサーと、初期特性ばらつき補正部５その他の周辺回路で構成される。
【００１３】
ダミー画素３３は、有効表示領域３１の外側に配置する。なお、有効表示領域内に光検出センサーを配置して、有機ＥＬ素子の発光輝度特性（基本発光色であるＲＧＢ別の発光輝度特性）を検出する手法も考えられる。しかし、この形態例では、有効表示領域３１とは別にダミー画素３３を１つ配置する。
【００１４】
なお、有効表示領域３１は、その発光が外部から観察可能なように形成されているのに対し、ダミー画素３３は、その発光が外部から観察できないように不透性材料の筐体その他で覆われている。
ダミー画素３３の画素構造は、有効表示領域３１内にマトリクス状に配置される表示上の１画素と同じ構造を採用する。
【００１５】
図３に、有効表示領域３１とダミー画素３３の配置例を示す。図３の場合、１行目からＮ行目までが有効表示領域３１であり、Ｎ＋１行目がダミー画素３３の配置領域である。従って、ダミー画素３３のデータは、ブランキング期間を用いて更新される。
この例の場合、表示上の１画素は、基本発光色である赤（Ｒ）、緑（Ｇ）、青（Ｂ）に対応する３つの単位発光領域で構成する。なお、この明細書では、基本発光色に対応する単位発光領域もダミー画素と呼ぶ。
【００１６】
この有機ＥＬパネルモジュール３は、一般的な表示パネルに選択線（ゲート駆動線）を１本追加するだけで実現することができる。すなわち、ダミー画素３３の駆動には、既存の駆動回路（データ線駆動回路及び選択線駆動回路）を流用することができる。従ってダミー画素の駆動専用の回路や大規模な駆動回路は必要でない。
これらダミー画素の発光輝度は、不図示の輝度検出センサーによって検出される。
【００１７】
図４に、輝度検出センサー３５の配置例を示す。輝度検出センサー３５は、ダミー画素から出力される可視光を検出して電気信号に変換する素子である。輝度検出センサー３５は、１つのダミー画素３３に対して１つの関係で配置される。輝度検出センサー３５は、ダミー画素の発光面と対面し、その全体を覆うように配置される。なお、ダミー画素３３内には単位発光領域が３つ存在する。
【００１８】
このため、輝度検出センサー３５は、各発光色の輝度を時分割に検出する手法を採用する。
また、光検出素子には任意の検出センサーを適用する。例えばアモルファスシリコン半導体で構成される可視光センサーを使用する。
なお、電流値として検出される光量情報は増幅されて電圧値に変換され、ダミー画素光検出信号として初期特性ばらつき補正部５に出力される。
【００１９】
（ｃ）初期特性ばらつき補正部の構成
初期特性ばらつき補正部５は、製造直後の表示パネルに固有の輝度特性ばらつきを最適化する処理デバイスである。具体的には、統計的な輝度特性ばらつきに基づく一律的なエージング処理に代え、各表示パネルの実輝度特性に基づいて輝度特性ばらつきを安定化させる処理を実行する。
【００２０】
図５に、初期特性ばらつき補正部５の内部構成例を示す。初期特性ばらつき補正部５は、パネル駆動信号生成部５０１、信号切替部５０３、輝度特性検出部５０５、エージング制御部５０７、処理終了フラグメモリ５０９、ダミー画素データ決定部５１１、ダミー画素データ多重部５１３で構成する。
【００２１】
パネル駆動信号生成部５０１は、有機ＥＬパネルモジュール３の駆動信号を生成する処理デバイスである。入力映像信号の入力がある場合、パネル駆動信号生成部５０１は、入力映像信号に同期したタイミング信号を生成する。入力映像信号が存在しない場合であって、エージング処理の実行が命じられている場合、パネル駆動信号生成部５０１は、エージング用の映像信号（例えば、全画面を白色で発光制御する映像信号）とタイミング信号とを生成する。このエージング用の映像信号は、エージング制御部５０７から指示された場合にのみ生成される。
【００２２】
信号切替部５０３は、入力映像信号とエージング用の映像信号のいずれか一方を選択的に出力する処理デバイスである。エージング処理の実行時には、入力映像信号の有無によらず、エージング用の映像信号のみがダミー画素データ多重部５１３に出力される。一方、エージング処理以外では、外部から与えられる入力映像信号がダミー画素データ多重部５１３に出力される。
【００２３】
輝度特性検出部５０５は、輝度検出センサー３５を通じてダミー画素３３についての基本発光色別（ＲＧＢ別）の発光輝度特性を検出する処理デバイスである。ダミー画素３３の構造は、有効表示領域３１内の各画素と同じ構造を有しているのに加え、有効表示領域３１内と同じ条件で発光制御されるため、この検出結果は有効表示領域３１を構成する画素の発光特性を間接的に表現する。
【００２４】
エージング制御部５０７は、基本発光色（ＲＧＢ）別の実輝度特性に基づくエージング動作を制御する処理デバイスである。エージング制御部５０７は、処理終了フラグメモリ５０９に終了フラグが設定されていない場合、エージング処理の実行に必要な制御動作を実行する。例えば、電源投入後初めて処理終了フラグメモリ５０９にアクセスした際に終了フラグが設定されていなかった場合、エージング制御部５０７は、パネル駆動信号生成部５０１とダミー画素データ決定部５１１のそれぞれにエージング処理の実行を指示する。
【００２５】
また、エージング制御部５０７は、エージング開始後の発光輝度特性の推移を基本発光色毎に監視し、劣化状態が設定輝度に到達した基本発光色毎にエージング処理の停止を個別に指示する動作を実行する。
なお、エージング制御部５０７は、全ての基本発光色についてエージング処理の停止を指示した段階で、処理終了フラグメモリ５０９に終了フラグを設定する。
【００２６】
ダミー画素データ決定部５１１は、ダミー画素３３に与えるダミー画素データ（ＲＧＢデータ）を生成する処理デバイスである。ダミー画素データには、パネル駆動信号生成部５０１が発生するエージング用の映像信号の階調値と同じ値を使用する。なお、ダミー画素データは、基本発光色単位で階調値が決定される。
【００２７】
ダミー画素データ多重部５１３は、エージング実行時に、ダミー画素データをエージング用の映像信号に多重する処理デバイスである。具体的には、ダミー画素データ多重部５１３は、Ｎ＋１ライン目に相当する位置にダミー画素データを多重する処理を実行する。
【００２８】
（ｄ）エージング動作
以下、有機ＥＬディスプレイ装置１で実行される初期特性ばらつきの補正動作（すなわち、エージング動作）を説明する。なお、エージング動作は、エージング制御部５０７の制御によって進行する。
図６に、エージング制御部５０７がエージング動作に関連して実行する制御例を示す。なお、図６に示すエージング動作は、表示パネルに電源が供給される度に実行される。
【００２９】
まず、エージング制御部５０７は、エージング処理が終了しているか否かを判定する（Ｓ１）。すなわち、エージング制御部５０７は、終了フラグが設定されているか否かを判定する。
既に終了フラグが設定されている場合、エージング制御部５０７は、エージング動作を開始せず、そのまま制御動作を終了する。
【００３０】
一方、終了フラグが設定されていない場合（製造直後の最初の電源供給時等）、エージング制御部５０７は、有効表示領域３１の全画素とダミー画素３３を全白で発光制御する（Ｓ２）。すなわち、エージング制御部５０７は、パネル駆動信号生成部５０１とダミー画素データ決定部５１１にエージング動作の開始を指示する。
この際、パネル駆動信号生成部５０１とダミー画素データ決定部５１１は、それぞれ事前に設定した階調値を対応する基本発光領域に与える。
【００３１】
例えば、各基本発光色を最大階調値で発光制御する。階調値が８ビットで与えられる場合、パネル駆動信号生成部５０１とダミー画素データ決定部５１１は、赤（Ｒ）、緑（Ｇ）、青（Ｂ）に対応する発光領域に対する階調値データを「２５５」に設定する。図７（Ａ）に、各画素（ダミー画素を含む）の発光状態を示す。全ての基本発光色が同じ階調値で発光される。
【００３２】
次に、エージング制御部５０７は、輝度特性検出部５０５を通じ、ダミー画素３３を構成する各基本発光色の実発光輝度を入力する（Ｓ３）。基本発光色の実発光輝度は、例えば定期的に検出される。この形態例のように、光検出センサー３５が３つの単位発光領域に対して１つしか設けられていない場合には、赤（Ｒ）用の単位発光領域、緑（Ｇ）用の単位発光領域、青（Ｂ）用の単位発光領域を順番に発光制御し、その発光輝度を検出する。
【００３３】
なお、ダミー画素の発光特性と有効表示領域内の発光特性とを一致させるため、この形態例の場合、単位発光領域の発光時間と有効表示領域内の全画素の発光時間が同じになるよう制御する。
この後、エージング制御部５０７は、全ての基本発光色について発光輝度が設定値になったか否かを判定する（Ｓ４）。
【００３４】
この判定処理は、エージング処理を終了するか否かを判定するために実行される。
ここでは、否定結果が得られたものとする。エージング制御部５０７は、いずれかの基本発光色について検出された発光輝度が設定値になったか否かを判定する（Ｓ５）。
図８に、エージング制御部５０７が監視する設定値と基本発光色別の発光輝度との関係を示す。
【００３５】
図８に示すように、各基本発光色に対応する初期輝度がばらばらであるだけでなく、初期特性の変化も基本発光色毎に異なる。なお、図８に示す特性は一例であって、赤（Ｒ）、緑（Ｇ）、青（Ｂ）の各色が常に図８に示す特性を有する訳ではない。
エージング制御部５０７は、図８に示すように逐次変化する発光輝度が設定値setR、setG、setBに達したか否かを判定する。新たに設定値に達した基本発光色が存在しない場合、エージング制御部５０７は、ステップＳ５で否定結果を得、ステップＳ４の判定処理に戻る。
【００３６】
これに対し、新たに設定値に達した基本発光色が見つかった場合、エージング制御部５０７は、ステップＳ５で肯定結果を得、有効表示領域の全画素及びダミー画素のうち該当色に対応する単位発光領域の発光を停止する（Ｓ６）。この動作は、該当色の劣化の進行を設定値で止めるためである。なお、全ての基本発光色についてのエージング処理が終了したとき、全ての色の発光輝度が設定値にほぼ一致することになる。
例えば緑（Ｇ）色の発光輝度が最初に設定値に達した場合の発光状態を図７（Ｂ）に示す。
【００３７】
この後、前述した判定動作が繰り返され、やがて残る２つの基本発光色についても順番にその発光輝度が設定値に達する。図７（Ｃ）及び図７（Ｄ）は、基本発光色の発光輝度が赤（Ｒ）、青（Ｂ）の順番に設定値に達した状態を示す。
【００３８】
このように全ての基本発光色の発光輝度が設定値になると、エージング制御部５０７は、ステップＳ４で肯定結果を得、エージング処理の終了を処理終了フラグメモリ５０９に書き込む（Ｓ７）。すなわち、エージング制御部５０７は、終了フラグを処理終了フラグメモリ５０９に設定する。
以上がエージング動作の概要である。
【００３９】
（ｅ）効果
以上説明したエージング機能の搭載により、有効表示領域を構成する基本発光色間の発光特性ばらつきをほぼ無くすことができる。すなわち、発光特性ばらつきの補正動作を最適化できる。
加えて、このエージング機能は、製造終了後の有機ＥＬディスプレイ装置１に電源を供給するだけで自律的に実行される。このため、大がかりな製造設備が不要となり、製造コスト的にも有利である。
【００４０】
また、前述したエージング機能は、簡易な機能ブロックを幾つか搭載するだけで実現できる。このため、表示パネルへの実装も容易である。すなわち、製造コスト的にも有利である。
この他、発光輝度の検出に有効表示領域の外側に配置されたダミー画素を使用するため、画面サイズが大型化しても全画素について光量を検出する構造が不要となる。また、ダミー画素３３は、通常パネルプロセスの延長線上で（パネルプロセスをほとんど変更することなく）作成することができる。
【００４１】
（Ｂ）形態例２
（ａ）制御動作の概要
前述の形態例では、基本発光色それぞれについて発光輝度が事前に設定された発光輝度に達した時点でエージング動作を個別に停止することにより基本発光色間に存在する発光特性のばらつきをほぼ無くす手法について説明した。
ここでは、一定時間内に検出された発光輝度の劣化特性が安定した状態をもってエージング動作を停止する手法を採用する。
【００４２】
図９に、エージング動作の制御イメージを示す。有機ＥＬ素子の発光特性は、初期特性こそ安定しない可能性があるが、発光時間がある程度の長さになると、発光制御すると発光輝度の劣化傾向が安定することが知られている。従って、全ての基本発光色の劣化特性が安定した時点を、エージング動作の終了時点と考えることができる。ただし、従来の手法では、統計的な劣化傾向を測定し、統計的に全ての基本発光色の劣化特性が安定する時間を一律にエージング時間として設定していた。
【００４３】
しかし、これでは発光輝度の劣化特性が既に安定している表示パネルについても一律に劣化を進めることになり、使用寿命を無駄に短縮する結果にもなる。
そこで、この形態例では、図９に示すように、基本発光色毎に現時点から設定時間min-t だけ前の時点までの劣化傾向を逐次計算し、劣化特性（劣化率）が安定した時点でエージング動作を個別に停止する手法を採用する。
【００４４】
（ｂ）システム構成
図１０に、この形態例で説明する有機ＥＬディスプレイ装置のシステム構成例を示す。有機ＥＬディスプレイ装置１００は、有機ＥＬパネルモジュール３及び初期特性ばらつき補正部５０で構成される。有機ＥＬパネルモジュール３は、形態例１の構造と同じものを使用する。
【００４５】
（ｃ）初期特性ばらつき補正部の構成
図１１に、初期特性ばらつき補正部５０の内部構成例を示す。図１１は、図５との対応部分に同一符号を付して示す。
初期特性ばらつき補正部５０は、パネル駆動信号生成部５０１、信号切替部５０３、輝度特性検出部５０５、エージング制御部５１７、処理終了フラグメモリ５０９、ダミー画素データ決定部５１１、ダミー画素データ多重部５１３で構成する。
【００４６】
基本的な構成は、形態例１で説明した初期特性ばらつき補正部５と同じである。違いは、エージング制御部５１７の処理内容だけである。具体的には、エージング動作の終了時点を、最小判定時間内の劣化傾向が安定したことを判定手法に用いる点が形態例１との違いである。この形態例において、劣化速度が安定するとは、最小判定時間内の輝度劣化率が事前に設定した一定の劣化傾向（許容誤差を含む。）と同じになることをいう。
このエージング制御部５１７は、特許請求の範囲における「劣化特性算出部」としての機能も実行する。
【００４７】
（ｄ）エージング動作
以下、有機ＥＬディスプレイ装置１００で実行されるエージング動作を説明する。
図１２及び図１３に、エージング制御部５１７を通じて実行されるエージング動作の手順例を示す。図１２及び図１３に示すエージング動作も、表示パネルに電源が供給される度に実行される。
【００４８】
まず、エージング制御部５１７は、エージング処理が終了しているか否かを判定する（Ｓ１１）。すなわち、エージング制御部５１７は、終了フラグが設定されているか否かを判定する。
既に終了フラグが設定されている場合、エージング制御部５１７は、エージング動作を開始せず、そのまま制御動作を終了する。
【００４９】
一方、終了フラグが設定されていない場合（製造直後の最初の電源供給時等）、エージング制御部５１７は、有効表示領域３１の全画素とダミー画素３３を全白で発光制御する（Ｓ１２）。すなわち、エージング制御部５１７は、パネル駆動信号生成部５０１とダミー画素データ決定部５１１にエージング動作の開始を指示する。
この際、パネル駆動信号生成部５０１とダミー画素データ決定部５１１は、それぞれ事前に設定した階調値を基本発光色に対応する基本発光領域に与える。
【００５０】
例えば、各基本発光色を最大階調値で発光制御する。階調値が８ビットで与えられる場合、パネル駆動信号生成部５０１とダミー画素データ決定部５１１は、赤（Ｒ）、緑（Ｇ）、青（Ｂ）に対応する発光領域に対する階調値データを「２５５」に設定する。
次に、エージング制御部５１７は、輝度特性検出部５０５を通じ、ダミー画素３３を構成する各基本発光色の実発光輝度を入力する（Ｓ１３）。
【００５１】
次に、エージング制御部５１７は、実発光輝度値と経過時間とに基づいて、基本発光色別の劣化特性を算出する（Ｓ１４）。算出する劣化特性は最小判定時間内の劣化率である。なお、最小判定時間は、初期ばらつきの変動期間を考慮してあまり短くならないように設定する。
この後、エージング制御部５１７は、全ての基本発光色について劣化特性が安定したか否かを判定する（Ｓ１５）。この判定処理は、エージング処理を終了するか否かを判定するために実行される。
【００５２】
ここでは、否定結果が得られたものとする。エージング制御部５１７は、基本発光色のいずれかで劣化特性が安定したか否かを判定する（Ｓ１６）。すなわち、事前に設定された劣化率と同じ劣化率で発光輝度が低下する基本発光色があるか否かを判定する。新たに劣化特性が安定した基本発光色が存在しない場合、エージング制御部５１７は、ステップＳ１６で否定結果を得、ステップＳ１４の劣化特性の更新処理に戻る。
【００５３】
これに対し、新たに劣化特性が安定した基本発光色が見つかった場合、エージング制御部５１７は、ステップＳ１６の判定処理で肯定結果を得、有効表示領域の全画素及びダミー画素のうち該当色に対する単位発光領域の発光を停止するように指示を出す（Ｓ１７）。この動作は、該当基本発光色の劣化を止めるためである。
【００５４】
この後、前述した判定動作が繰り返され、やがて全ての基本発光色の劣化特性が安定する。なお、全ての基本発光色についてのエージング処理が終了したとき、全ての色で発光輝度の劣化傾向がほぼ一致することになる。
このとき、エージング制御部５１７は、ステップＳ１５で肯定結果を得、エージング処理の終了を処理終了フラグメモリ５０９に書き込む（Ｓ１８）。すなわち、エージング制御部５１７は、終了フラグを処理終了フラグメモリ５０９に設定する。
以上がエージング動作の概要である。
【００５５】
（ｅ）効果
以上説明したエージング機能の搭載により、有効表示領域を構成する基本発光色間の発光特性のばらつきをほぼ無くすことができる。すなわち、発光特性ばらつきの補正動作を最適化できる。
勿論、このエージング機能も、製造終了後の有機ＥＬディスプレイ装置１００に電源を供給するだけで自律的に実行される。その他の効果についても、形態例１と同じ効果を期待できる。
【００５６】
（Ｃ）他の形態例
（ａ）前述の形態例では、ダミー画素３３を１つだけ有効表示領域３１の外側に配置する場合について説明した。
しかし、ダミー画素を複数搭載しても良い。例えば図１４に示すように３つのダミー画素３３を搭載しても良い。この場合、３つのダミー画素のそれぞれを、ある基本発光色に専用の輝度特性検出用に使用しても良い。
【００５７】
図１４の場合、網掛け表示した単位発光領域は点灯せずに使用する。このような発光制御方法を採用すれば、１つの単位発光領域に対して輝度検出センサーが１つ配置されることになる。従って、個々の単位発光領域を点灯させた状態のまま、発光輝度を検出することができる。その分、エージング時間を短縮することができる。
【００５８】
また、同じく３つのダミー画素を搭載する場合でも、図１５に示すように、各ダミー画素で検出した発光輝度を平均化する手法を採用することができる。ダミー画素についても、固有の発光特性が存在する。従って、複数のダミー画素について検出される発光輝度を平均化することにより、基本発光色の平均的な発光特性に近づけることができる。これにより、エージング動作の停止時点の判定精度を高めることができる。
【００５９】
（ｂ）前述の形態例では、各基本発光色について検出した発光輝度が設定値に達した時点をエージングの停止タイミングとする場合と各基本発光色について検出した発光輝度の劣化特性が安定した時点をエージングの停止タイミングとする場合をそれぞれ独立に適用する場合について説明した。
しかし、これら２種類の判定方法を組み合わせ、いずれか一方でも先に停止タイミングが現れた場合、そのタイミングで該当する基本発光色の発光を停止しても良い。
【００６０】
（ｃ）前述の形態例では、有効表示領域内の各画素に与える階調値とダミー画素に与える階調値を同じに設定し、同じ時間だけ発光することで有効表示領域を構成する各画素とダミー画素の発光条件が同じになるように制御する場合について説明した。
しかし、両画素間の発光条件が同じになるように制御できれば、有効表示領域内の各画素に与える階調値とダミー画素に与える階調値とは必ずしも同じである必要はない。
【００６１】
（ｄ）前述の形態例では、ダミー画素構造が有効表示領域内の各画素と同じ場合について説明した。
しかし、ダミー画素の構造は、必ずしも同一である必要はない。例えば、ダミー画素については、画素回路内に有機ＥＬ素子の発光輝度を検出する輝度検出センサーを内蔵する構造としても良い。また、ダミー画素の画素サイズや基本発光領域の大きさを変更しても良い。
【００６２】
（ｅ）前述の形態例では、基本発光色がＲＧＢの３色である場合について説明したが、基本発光色は補色を含めて４色以上の場合にも適用できる。この場合、ダミー画素は、これら基本発光色の数だけ用意すれば良い。
（ｆ）前述の形態例では、基本発光色の発色形態について説明しなかったが、基本発光色別に発光素子材料が異なる有機ＥＬ素子を用意しても良いし、カラーフィルタ方式や色変換方式を用いて基本発光色を生成しても良い。
【００６３】
（ｇ）前述の形態例では、自発光表示装置の一例として有機ＥＬディスプレイパネルを例示したが、他の自発光表示装置にも適用できる。例えば、ＦＥＤ（field emission display） 、無機ＥＬディスプレイパネル、ＬＥＤパネルその他にも適用できる。
【００６４】
（ｈ）前述の形態例では、エージング機能を機能的な側面から説明したが、言うまでもなく、同等の機能をハードウェアとしてもソフトウェアとしても実現できる。
また、エージング機能の全てをハードウェア又はソフトウェアで実現するだけでなく、その一部はハードウェア又はソフトウェアを用いて実現しても良い。すなわち、ハードウェアとソフトウェアの組み合わせ構成としても良い。
（ｉ）前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００６５】
【図１】有機ＥＬディスプレイ装置の概略構成例を示す図である。
【図２】有機ＥＬパネルモジュールの平面構成例を示す図である。
【図３】有機ＥＬパネルモジュールの画素配置例を示す図である。
【図４】ダミー画素と輝度検出センサーの配置例を示す図である。
【図５】初期特性ばらつき補正部の内部構成例を示す図である。
【図６】エージング制御部の処理手順を説明する図である。
【図７】ダミー画素の発光制御例を示す図である。
【図８】初期特性ばらつきとエージング処理との関係を説明する図である。
【図９】初期特性ばらつきとエージング処理との関係を説明する図である。
【図１０】有機ＥＬディスプレイ装置の概略構成例を示す図である。
【図１１】初期特性ばらつき補正部の内部構成例を示す図である。
【図１２】エージング制御部の処理手順を説明する図である。
【図１３】エージング制御部の処理手順を説明する図である。
【図１４】ダミー画素の発光制御例を示す図である。
【図１５】ダミー画素の発光制御例を示す図である。
【符号の説明】
【００６６】
１              有機ＥＬディスプレイ装置
１００          有機ＥＬディスプレイ装置
５              初期特性ばらつき補正部
５０            初期特性ばらつき補正部
５０７          エージング制御部
５０９          処理終了フラグメモリ
５１７          エージング制御部
【図１】
2007240800.tif 000003
【図２】
2007240800.tif 000004
【図３】
2007240800.tif 000005
【図４】
2007240800.tif 000006
【図５】
2007240800.tif 000007
【図６】
2007240800.tif 000008
【図７】
2007240800.tif 000009
【図８】
2007240800.tif 000010
【図９】
2007240800.tif 000011
【図１０】
2007240800.tif 000012
【図１１】
2007240800.tif 000013
【図１２】
2007240800.tif 000014
【図１３】
2007240800.tif 000015
【図１４】
2007240800.tif 000016
【図１５】
2007240800.tif 000017